Podtech/llm-jp-corpus-v4-ja_patent huggingface dataset:
(57)【要約】【課題】犬の散歩の際は、糞処理が何よりの課題で、立ったまま取ろうとすることは不可能だった。  本発明は、立ったまま犬の糞を取る犬の糞取り機を提供する。【解決手段】  円形部内部に動力を設け、上部操作により円形前部、紐の出入り口下部に、収縮部を設け、先端に腕を設けたことを特徴とする犬の糞取り機。【選択図】図１
2012029671.tif 000002
【特許請求の範囲】
【請求項１】
本体の中に、犬のなどの首輪につなぐリールと、糞取りをする収縮部を設け収縮部の中にワイヤーを通し糞取り部でつかむもので二つのことを一つにした糞取り機。
【発明の詳細な説明】
【技術分野】
【０００１】  本発明は、犬などの糞取りに関するものである。
【背景技術】
【０００２】  従来、犬などの糞を取るにはしゃがみこんで取っていた。
なお、枝の長く手元レバーで糞とる方法が知られている。（特許文献１参照）
【先行技術文献】
【特許文献】
【０００３】
【特許文献１】特開２００５−２２４２２６
【発明の概要】
【発明が解決しようとする課題】
【０００５】犬の散歩の際は、糞処理が何よりの課題で、立ったまま取ろうとすることは不可能だった。
本発明は、以上の問題点を解決されるためのになされたものである。
【課題を解決するための手段】
【０００６】円形部内部に動力を設け、上部操作により円形前部、紐の出入り口下部に、収縮部を設け、先端に腕を設ける。
以上の構成によりなる犬の糞取り機。
【発明の効果】
【０００７】従来、不可能とされていた、犬の糞取りを本発明により可能にし、立ったまま糞を回収することができる。
本発明は、犬だけでなく他の動物の糞取りにもできる。
【図面の簡単な説明】
【０００８】
【図１】本発明の斜視図
【図２】本発明の腰部拡大斜視図
【図３】本発明の腰部拡大斜視図
【図４】本発明の側面図
【図５】本発明の側面図
【図６】本発明の収縮部伸び図
【図７】本発明の糞取り部
【図８】本発明の不糞取り開口図
【図９】本発明の糞取り部斜視図
【発明を実施するための形態】
【０００９】  以下、本発明の実地の形態を説明する。
（イ）円形（１）の上部に四角形状（２）があり内部にモーター（９）を設ける。
（ロ）内部のモーター（９）に歯車（１１）が連動し筒状部（１３）の内部にワイヤー（１２）を設ける。
（ハ）筒状からなる収縮部（３）は，紐の出口下部にあり先端に糞取り部（４）を設ける．
（二）糞取り部（４）の上部に軸（１４）がワイヤー（１２）との接続（１４）をし、ちょうつがい（１７）を通して糞取り部の開閉を設ける。
（ホ）糞取り部（４）の先端に紙等（１６）を設ける。
（ヘ）円計上部に取っ手（７）を内側にレバー（８）を設ける。
（ト）中心に止めた紐（６）は出入口（５）を設ける。
本発明は以上のような構造である。
本発明を使用するときは、紐（６）を出入り口（５）を通過させ犬の首輪につなぎ、取っ手部（７）の内側のレバー（８）の操作により紐（６）を収縮出来る。
犬が糞をした場合、円刑（１）の上部にあるスイッチ（２）をＯＮにし、モーター部（９）が歯車（１１）と連動し、歯車（９）から空洞の保護管（１３）内部にワイヤー（１２）に伝わる。
ワイヤー（１２）は、糞取り部の上部のちょうつがい（１７）を押して開き、取り部先端に紙等がありスイッチＯＦＦで糞取りが部（４）が閉まり糞を回収する。
糞取り部（４）は複数の穴が開いており、糞が見えやすくし糞を逃さない。
【符号の説明】
【００１０】（１）本体，（２）スイッチ，（３）収縮部、（４）糞取り部、（５）紐体出入口，（６）紐体，（７）取っ手部，（８）レバー、（９）モーター，（１０）中心軸，（１１）歯車，（１２）ワイヤー，（１３）保護管、（１４）配線、（１５）支え軸、（１６）棒、（１７）ちょうつがい、（１８）紙
【図１】
2012029671.tif 000003
【図２】
2012029671.tif 000004
【図３】
2012029671.tif 000005
【図４】
2012029671.tif 000006
【図５】
2012029671.tif 000007
【図６】
2012029671.tif 000008
【図７】
2012029671.tif 000009
【図８】
2012029671.tif 000010
【図９】
2012029671.tif 000011
(57)【要約】【課題】  従来の補聴器は耳穴にイヤホンを入れるイヤホン式であった。従って耳穴の小さな限られた極小の空間で無理に鼓膜に音声振動を与え音声が歪み、イヤな音、変な音に聞こえた。【解決手段】  携帯電話機に補聴器機能を組み込んだ補聴器、「送受話器」の「受話器」スピーカから鮮明な聞き取りやすい音声になって聞こえてくる。【選択図】なし【特許請求の範囲】
【請求項１】
携帯電話機に補聴器機能を組み込んだ補聴器携帯電話機。
【発明の詳細な説明】
【技術分野】
【０００１】  本発明は携帯電話機に補聴器機能を組み込んだ携帯電話機に関するものである。
【背景技術】
【０００２】  従来の補聴器は人目に目立たぬように小型化して補聴器本体を耳穴に挿入するイヤホン式、又は本体は耳の外にあってインナーイヤホンで耳穴にイヤホンを入れるイヤホン式であった。
【特許文献１】  特許公開  ２０１０−１４７７３９
【発明の開示】
【発明が解決しようとする課題】
【０００３】  これは次のような問題点があった。
難聴者にとってアナログ補聴器、デジタル補聴器のいずれに関わらず耳穴に入れるイヤホン式は難聴者に聞こえるように最大限に音を大きく増幅して、耳穴の小さな限られた極小の空間で無理に鼓膜に振動を与えるから音声が歪み、こもり、イヤな音、変な音に聞こえ補聴器を使用する事が煩わしくなったのである。
普通、耳の健勝者がステレオ音楽を耳穴に入れるイヤホンで聞く場合、難聴者が想像も出来ない考えも及ばない、それは小さな小さな、かすかな音で音楽を聴く事が出来るから、あの素晴らしい魂が揺さぶられるような何度聞いても、聞き飽きない感動に浸る事が出来るのである。
耳の健勝社と難聴者を比較した場合難聴者自身、耳が健勝な時は、上記のようにイヤホンで聴く場合考えられないような聴くことの出来ない様な、小さな音で聴く事が出来た。
好きな音楽を聴いた時など鮮明な音と軽快なリズムしゃれた歌の歌詞に酔いしれたのである。即ち補聴器の製造会社及び補聴器設計者は、この違いが解らないのです。
その為、耳穴に入れるイヤホン式補聴器は重大なミスを犯している事に皆（日本及び世界の補聴器製造会社及び補聴器設計者）気づかないでいるのだ。
例え高価なコンピュータデジタル補聴器でも難聴者個人の難聴の特質をコンピュータで調べ上げその特質に合わせた最適の音質、音量等をコンピュータ制御しても、耳穴に入れるイヤホンで聞く限り全て難聴者にとって不快なイヤな音、煩わしい音になってしまうのだ。
その証拠にどんな高価な補聴器も、いつしか難聴者に使用されずに机の引き出しの奥に放り込まれ、埃をかぶり無用の長物と化しているのだ。
例えば耳の健勝者が難聴者の最大限に音を増幅した耳穴に入れるイヤホン補聴器で鼓膜に音声振動を与えた場合、何分、何時間耐えられるか実験するのも一つの方法です。
その結果、聴力にどんな影響をもたらすのか？
耳の健勝者と難聴者は同じ生身の人間です。耳の健勝者の聴力に与える影響と難聴者の聴力に与える影響は大なり小なり共通するはずです。そのような聴力に関するデータを比較研究する事で難聴者の抱える問題点の本質が見えてくるのだと思います。
本発明は以上のような欠点を解決することを目的とするものである。
【課題を解決するための手段】
【０００４】  本発明は上記目的を達成するために携帯電話機に補聴器機能を組み込む事によって補聴器を利用する事が出来る。
携帯電話機を構成している「受話部」スピーカと「送話部」としてのマイクが設けられて「送受話部」を構成している。携帯電話機能から補聴器機能に切り替えれば（マイク）−（アンプ）−（スピーカ）の補聴器になり難聴者が人と対面して会話する場合、聞き取りにくい会話もマイクを通してアンプで音声が増幅され「受話部」スピーカから鮮明な聞き取りやすい音声になって聞こえてくる。補聴器として携帯電話機の「送受話部」の「受話部」スピーカから鮮明な音声を聞く事が出来る補聴器になる。
「受話部」スピーカから聞く音声は、従来の補聴器のように耳穴の中にイヤホンを入れないのでスッキリと快適な音声で聞く事が出来る。勿論イヤホン、ヘッドホン、骨導補聴器も利用する事が出来る。
この事は１９世紀当時に於いて補聴器メーカー、シーメンス社の創業者であるヴェルナ．フォン．シーメンス氏が「ある発見」をしています。
シーメンス氏は難聴になった人の特徴とその傾向に注目しました。
「難聴の人は日常会話で声を聞き取るよりも電話で声を聞く方が聞き取りやすい」という事実です。これは２１世紀の現在も難聴者が体験する正に真実です
「受話部」スピーカから聞こえる音声を長く聞き続けていると不思議な事に聴力が活性化して来ることである。これは、どうしてだろうかと考えると難聴者は音の世界から隔離された状態になりがちである、耳の機能をあまり使わず刺激しない生活をしている。
「受話部」スピーカから聞こえる耳に刺激を与える音声は鼓膜マッサージの役目をしているのだと考えられる。
この様に難聴者にとって鼓膜マッサージは聴力を活性化させる効果がある大発見である。
水面に浮かべた木の葉の上に乗せた針が常に南北を指し示す方位磁石の発見となり羅針盤の発明になりました。羅針盤の発明以前、航海は陸地の見える沿岸航海に限られていました。羅針盤の発明により大航海時代の幕開けとなりました
羅針盤と同様、鼓膜マッサージの発見は難聴者にとって音の世界の大航海の幕開けになります。
【発明の効果】
【０００５】  今や携帯電話機は世界中に普及し発展途上国も需要の一途である。
携帯電話機に補聴器機能を組み込めば携帯電話機自体，既にデジタル高精密機械であるので補聴器も高性能デジタル補聴器になる。
従来のデジタル補聴器のように高価格ではなく補聴器機能を搭載した携帯電話機は多様性と利便性に富み利用者に安価（低価格）に提供できる。
全世界の凡そ５億６千万人と推定されている難聴者に安価で、しかも従来の聞こえの悪い補聴器にかわる携帯電話機の「送受話部」の「受話部」スピーカから聞こえる音声が鮮明で聞き取りやすい会話であれば超短期間に５億６千万人の難聴者一人一人に補聴器機能を搭載した携帯電話機が普及するのも夢ではない。
【発明を実施するための最良の形態】
【０００６】  携帯電話機として又、補聴器として使用出来るので小型、軽量にして胸ポケット等に収納出来る様にすれば必要な時、必要に応じて「送受話部」の「受話部」スピーカに耳を当てれば鮮明な聞き取りやすい音声が聞こえてきます。又、イヤホン、ヘッドホン、骨導補聴器を使用すれば聞きながら、会話しながら両手が自由に使えます。
(57)【要約】【課題】ダンスレッスンの動画ファイルを体系的に表示するWebサイト表示プログラムを備えることで、利用者がインターネットを通して体系的にダンスレッスンを学べるシステムを提供する。【解決手段】利用者が使用する端末１と、前記端末が接続されるインターネット２と、前記インターネットに接続するサーバーマシン３と、レッスン動画ファイル４と、前記レッスン動画ファイルを前記端末に体系的に表示するWebサイト表示プログラム５とを有することを特徴とする。【選択図】図１
2012029957.tif 000002
【特許請求の範囲】
【請求項１】
ダンスレッスンの動画ファイルと、前記動画ファイルをレッスンの難易度に応じて順序立てて表示するWebサイト表示プログラムと、からなる、インターネットを利用した体系的なダンスレッスンシステム。
【発明の詳細な説明】
【技術分野】
【０００１】
本発明は、ダンスレッスンの動画ファイルをWebサイトに体系的に表示することで、利用者が実際にレッスンに参加せずとも、インターネットを介して体系的にダンスを学べるシステムに関するものである。
【背景技術】
【０００２】
近年、インターネットの動画配信サービスに、ダンスレッスンの動画ファイルを投稿する例が増えている。しかし、これまではレッスンの動画ファイルは、動画配信サービスなどに断片的に投稿されているにすぎなかったため、利用者はそれら断片的なレッスン動画からでは効率よくダンスを学ぶことができないという問題があった。
【０００３】
このように、これまではインターネットを利用して体系的にダンスレッスンを学ぶことが困難であったため、一部のダンスでは、その普及が抑制されるという問題があった。
【発明の概要】
【発明が解決しようとする課題】
【０００４】
上述のように、インターネットを利用したこれまでのダンスレッスンの動画ファイルの投稿には次の課題があった。それは、レッスンの動画ファイルが断片的に投稿されているために、利用者はインターネットからでは効率よくダンスを学ぶことができないという点である。
【課題を解決するための手段】
【０００５】
本発明は、ダンスレッスンの動画ファイルと、動画ファイルをレッスンの難易度に応じて順序立てて表示するWebサイト表示プログラムとを具備することを特徴とする。
【発明の効果】
【０００６】
本発明により、利用者がインターネットを介してダンスレッスンの動画ファイルを体系的に閲覧することができるシステムを実現する。
【０００７】
さらに、利用者はインターネットを介して体系的にダンスレッスンを学ぶことが可能になるため、ダンスを始める際の「踊り方が分からない」という問題は大きく軽減され、その結果、ダンスの普及につながるという利点がある。
【図面の簡単な説明】
【０００８】
【図１】図１は本発明の主要システムを示した説明図である。
【発明を実施するための形態】
【０００９】
図１は、本発明の実施の一形態を示す説明図である。同図において、本発明であるインターネットを利用した体系的なダンスレッスンシステムは、端末１と、端末１が接続されるインターネット２と、インターネット２に接続するサーバーマシン３と、レッスン動画ファイル４と、前記レッスン動画ファイルを前記端末に体系的に表示するWebサイト表示プログラム５とを有する。
【００１０】
前記インターネットを利用した体系的なダンスレッスンシステムにおいて、利用者は、端末１からインターネット２を介して、Webサイト表示プログラム５が体系的に表示するレッスン動画ファイル４を閲覧することができる。これにより、利用者はインターネットを介して体系的にダンスレッスンを学ぶことが可能になる。
【符号の説明】
【００１１】
１  端末
２  インターネット
３  サーバーマシン
４  レッスン動画ファイル
５  Webサイト表示プログラム
【図１】
2012029957.tif 000003
(57)【要約】【課題】  雪の結晶特有の六角枝形状を利用して立体的な形状物をも組立て作成可能なパズル玩具を提供することを課題とした。【解決手段】上記課題を解決するために、雪の結晶を模った湾曲可能な単体ピース１を形成して、その単体ピース１に備わる凸形状１aが、図２の凸形状１aのように凸状で、その凸形状１aは、図１の挿入部１b或は挿入部２bに挿入することがでて、図２の爪形状２aによって、単体ピース１同士が掛止されて、空間でも、上記の構成によって、単体ピース１同士が離れない、また、単体ピース１は可撓性材料で形成される。以上のような構成によって立体的な形状物をも組立て可能なパズル玩具となる。【選択図】  図１
2012029961.tif 000002
【特許請求の範囲】
【請求項１】
雪の結晶を模った単体ピースで組立てるパズル、であることが特徴の雪の結晶パズル。
【請求項２】
雪の結晶特有の六角枝形状を利用して、単体ピース同士が連結可能であることを特徴とする請求項１の雪の結晶パズル。
【請求項３】
雪の結晶を模った単体ピースの六角枝形状の先端付近に、突起を設けて、その突起は爪を備えて、六角枝形状の枝枝の間に突起挿入部を設けたことを特徴とする請求項１の雪の結晶パズル。
【請求項４】
単体ピースを可撓性材料で形成したことを特徴とする請求項１乃至３のいずれか１項に記載の雪の結晶パズル。
【発明の詳細な説明】
【技術分野】
【０００１】
本発明は、雪の結晶を模った単体ピースで組立てるパズルで、立体的な形状物をも作成できる。そして、雪の結晶の美的要素を利用して子供、或は大人でも楽しめるようにしたパズル玩具に関する。
【背景技術】
【０００２】
従来から、平面状に組立てるジグソーパズルが広く知られていて、そのジグソーパズルは、１枚の絵をピースと呼ばれる小片に分けられて、そのピースを組立てるパズルである。
【特許文献１】特許公開平６−９８９７６
【発明の開示】
【発明が解決しようとする課題】
【０００３】
上記、ジグソーパズルでは、組立て完成する形態が、あらかじめ、描かれている絵を基幹としている為、ユーザの美的想像力が上記形態に反映されないという問題点があった。
【０００４】
したがって、本発明では、ユーザの美的想像力を反映しながら組立てるパズルの提供を課題とした。
【課題を解決するための手段】
【０００５】
上記課題を解決するために、雪の結晶を模った単体ピースを形成して、雪の結晶特有の六角枝形状を利用して単体ピース同士を掛止できるようにして、その掛止によって空間でも単体ピース同士が離れないようにした。
【０００６】
そして、可撓性材料で変形可能な厚みで単体ピースを形成することで単体ピースが湾曲できて、その湾曲によって立体的な形状物をも組立てる事ができるパズルとなった。
【発明の効果】
【０００７】
上記のように、単体ピース同士が離れない事、また単体ピースが湾曲できることで立体的な形状物をも組立てる事ができるパズル玩具となる。
【図面の簡単な説明】
【０００８】
【図１】単体ピースの平面図である。
【図２】図１の断面図である。
【図３】図１の断面図である。
【図４】図１の断面図である。
【図５】図１の斜視図である。
【図６】図１の斜視図である。
【図７】単体ピース同士が連結状態の平面図である。
【図８】図７の部分断面図である。
【図９】図２の拡大図である。
【発明を実施するための形態】
【０００９】
本発明の一実施形態を添付図の図１と図２から説明すると、図１が雪の結晶を模った単体ピース１の平面形態で、その単体ピース１に備わる凸形状１aが、図２に示されているように凸状に成っていて、その凸形状１aは、図１の挿入部１b或は挿入部２bに挿入することがでて、図２の爪形状２aによって、単体ピース１同士が掛止される。
【００１０】
また、図２、図３、図４の断面図に示されているように凸形状１aの位置は、上下交互になるように設けた。
【００１１】
また、凸形状１aを上下交互になるように設けた形態は、図５、図６の斜視図でも確認できる。
【００１２】
図７は、単体ピース１同士を組立てた形勢の一例である。
【００１３】
図８は、凸形状１aが挿入部１bに挿入されている掛止状態を示す部分断面図である。
【００１４】
また、単体ピースは、可撓性材料で変形可能な厚みに形成される。
【符号の説明】
【００１５】
１   単体ピース
１a  凸形状
２a  爪形状
１b  挿入部１
２b  挿入部２
【図１】
2012029961.tif 000003
【図２】
2012029961.tif 000004
【図３】
2012029961.tif 000005
【図４】
2012029961.tif 000006
【図５】
2012029961.tif 000007
【図６】
2012029961.tif 000008
【図７】
2012029961.tif 000009
【図８】
2012029961.tif 000010
【図９】
2012029961.tif 000011
(57)【要約】【課題】ミュー型ニュートリノ利用で２進法にし未来情報を過去で受信する。【解決手段】加速器から２進法でミュー型ニュートリノ打ち出し相対性理論で光速を超えて時間を遡り過去へ未来情報が行きやすくする。光速より毎秒７キロメートル以上速いのでその調整で過去のいつかを決定合わせられる。【選択図】なし【特許請求の範囲】
【請求項１】
（イ）ミュー型ニュートリノを加速器で２進法で打ち出す。
（ロ）すると相対性理論によると光より速い速度になりその時点で過去にさかのぼる。
（ハ）それは光速より毎秒７キロメートル以上も速くその調整で過去のいつかを特定できる。
（二）この結果未来の情報を２進法で過去において受信できる。
（ホ）このミュー型ニュートリノは他の物質とほとんど反応せず地中を通り抜けるので障害物はなく長距離飛ぶことができる。
以上の如く特徴を持つミュー型ニュートリノ利用２進法未来情報過去受信機。
【発明の詳細な説明】
【技術分野】
【０００１】  本発明は、相対性理論によるミュー型ニュートリノ利用２進法未来情報過去受信機に関する。
【背景技術】
【０００２】  従来、ミュー型ニュートリノが光速より速く過去をさかのぼるという発見があった。【０００３】
【非特許文献１】「読売新聞」、２０１１年９月２４日、１頁と３頁
【発明の開示】
【発明が解決しようとする課題】
【０００４】  従来、ミュー型ニュートリノ利用で未来情報を過去のいつかに送る。
【課題を解決するための手段】
【０００５】  ミュー型ニュートリノを加速器から２進法で打ち出し長距離を飛ばして受信する。
【発明の効果】
【０００６】  未来の情報が過去において知ることが可能となる。
【発明を実施するための最良の形態】
【０００７】    ミュー型ニュートリノを加速器で２進法で打ち出す。すると相対性理論によると光より速い速度になりその時点で過去にさかのぼる。その速さは光速より毎秒７キロメートル以上速くその速さの調整で過去のいつかを決定合わせられる。この結果未来の情報を２進法で過去において受信できる。このミュー型ニュートリノは他の物質とほとんど反応せず地中を通り抜けるので障害物はなく長距離飛ぶことができる。以上の如く特徴を持つミュー型ニュートリノ利用２進法未来情報過去受信機。
【実施例】
【０００８】    ミュー型ニュートリノを加速器で２進法で打ち出し長距離地中を飛ばし受信機のあるところまでニュートリノ実験の如く実施される。
【産業上の利用可能性】
【０００９】    このミュー型ニュートリノを２進法にすることで未来の災害など事前に知ることができいろいろなリスクを回避でき産業上の利用可能性ははかりしれない。
(57)【要約】【課題】  出口通路の浸蝕を防止できるスチームトラップを提供する。【解決手段】  入口３が上部に開口した弁室６と、この弁室６から隔てられ出口４が上部に開口した出口通路５とをケーシング１，２に形成し、弁室６側端に弁孔１０が開口し出口通路５側端に分岐孔１１が開口した弁座部材１２を出口通路５の下部に設けて弁室６と出口通路５を連通し、弁孔１０を開閉する弁部材としての球形フロート１５を弁室６内に配置する。弁座部材１２内に案内棒１７を固定し、案内棒１７の外表面に螺旋状の切欠き１８を設ける。弁孔１０を流下する復水が案内棒１７の螺旋状の切欠き１８により旋回しながら分岐孔１１を通過して出口通路５の内壁に衝突し、出口通路５の一部に局所的に衝突せず、復水が分散して出口通路５に衝突するので、出口通路５が浸蝕されることがない。【選択図】      図１
2012149665.tif 000002
【特許請求の範囲】
【請求項１】
入口が上部に開口した弁室と、この弁室から隔てられ出口が上部に開口した出口通路とをケーシングに形成し、弁室側端に弁孔が開口し出口通路側端に分岐孔が開口した弁座部材を出口通路の下部に設けて弁室と出口通路を連通し、弁孔を開閉する弁部材を弁室内に配置したものにおいて、弁座部材内に案内棒を固定し、案内棒の外表面に螺旋状の切欠きを設けたことを特徴とするスチームトラップ。
【発明の詳細な説明】
【技術分野】
【０００１】
本発明は、蒸気輸送管や蒸気使用機器等の蒸気配管系に発生する復水を自動的に排出するスチームトラップに関し、特に排出復水の高速流による出口通路の浸蝕を防止できるようにしたものに関する。蒸気配管系においては復水の発生は不可避であり、適宜発生した復水を系外に排出する必要がある。この復水を自動的に排出する装置がスチームトラップと呼ばれる特殊なバルブである。
【背景技術】
【０００２】
スチームトラップは、弁部材の駆動原理によって、蒸気と復水の比重差を利用したメカニカルタイプ、蒸気と復水の熱力学的特性差を利用したサーモダイナミックタイプ、蒸気と復水の温度差を利用したサーモスタチックタイプ等に分類されるが、その基本的構成は、入口が上部に開口した弁室と、この弁室から隔てられ出口が上部に開口した出口通路とをケーシングに形成し、弁室側端に弁孔が開口し出口通路側端に分岐孔が開口した弁座部材を出口通路の下部に設けて弁室と出口通路を連通し、弁孔を開閉する弁部材を弁室内に配置したものである。この一例が、例えば特許文献１に開示されている。
【先行技術文献】
【特許文献】
【０００３】
【特許文献１】特開平１０−２４９１号公報
【発明の概要】
【発明が解決しようとする課題】
【０００４】
上記従来技術のスチームトラップにおいては、開弁時に弁孔から分岐孔を通して出口通路側に排出される復水が出口通路の内壁を衝突しながら高速に流下するために、出口通路の内壁が排出復水によって浸蝕されると言う問題点があった。
【０００５】
したがって本発明が解決しようとする課題は、出口通路の浸蝕を防止できるスチームトラップを提供することである。
【課題を解決するための手段】
【０００６】
上記の課題を解決するために、本発明のスチームトラップは、入口が上部に開口した弁室と、この弁室から隔てられ出口が上部に開口した出口通路とをケーシングに形成し、弁室側端に弁孔が開口し出口通路側端に分岐孔が開口した弁座部材を出口通路の下部に設けて弁室と出口通路を連通し、弁孔を開閉する弁部材を弁室内に配置したものにおいて、弁座部材内に案内棒を固定し、案内棒の外表面に螺旋状の切欠きを設けたことを特徴とするものである。
【発明の効果】
【０００７】
本発明によれば、弁座部材内に案内棒を固定し、案内棒の外表面に螺旋状の切欠きを設けたものであるので、弁孔を流下する復水が案内棒の螺旋状の切欠きにより旋回しながら分岐孔を通過して出口通路の内壁に衝突し、出口通路の一部に局所的に衝突しない。そのため、復水が分散して出口通路に衝突するので、出口通路が浸蝕されることがないという優れた効果を奏する。
【図面の簡単な説明】
【０００８】
【図１】本発明の実施の形態に係わるフリーフロート式スチームトラップの断面図である。
【発明を実施するための形態】
【０００９】
以下、本発明の実施の形態について、図１を参照して説明する。フリーフロート式スチームトラップのケーシングは鋳造成形された本体１と蓋部材２から成り、入口３と出口４と出口通路５を有する本体１に蓋部材２を締結して内部に弁室６を形成する。入口３と出口４は本体１の上部に同一軸上に開口し、入口３は弁室６の上部に連通し、出口４は出口通路５の上部に連通する。弁室６と出口通路５は本体１に一体に形成した隔壁７で隔てる。
【００１０】
弁室６側端に弁孔１０が開口し出口通路５側端に分岐孔１１が開口した弁座部材１２を出口通路５の下部の隔壁７を貫通して配置する。弁座部材１２は弁座取付口１３から挿入し、弁座取付口１３を塞ぐプラグ１４で保持する。弁座部材１２の弁孔１０と分岐孔１１の間の通路内に案内棒１７をプラグ１４に圧入して固定する。案内棒１７は弁孔１０の中心軸上に位置し、外表面に螺旋状の切欠き１８を設ける。弁座部材１２とプラグ１４と案内棒１７は耐浸蝕性を有するステンレス鋼で形成する。弁室６にステンレス鋼薄板で中空に作った弁手段としての球形フロート１５を自由状態で収容する。球形フロート１５は外表面が弁座部材１２に直接離着座して弁孔１０を開閉する。弁室６の下端に球形フロート１５が弁孔１０を塞いだ位置で球形フロート１５を保持するフロート座１６を形成する。
【００１１】
上記フリーフロート式スチームトラップの作動は次の通りである。入口３は蒸気使用機器等の復水発生個所に接続する。復水と蒸気が弁室６に流入し、復水が下部に蒸気が上部に分離して溜まる。球形フロート１５は弁室６内の液位に従って浮上降下し、弁孔１０を開閉する。弁孔１０が開口されると、弁室６の復水が弁孔１０から分岐孔１１、出口通路５を通して出口４に排出される。弁孔１０を流下する復水が案内棒１７の螺旋状の切欠き１８により旋回しながら分岐孔１１を通過して出口通路５の内壁に衝突し、出口通路５の一部に局所的に衝突せず、復水が分散して出口通路５に衝突するので、出口通路５が浸蝕されることがない。
【００１２】
上記実施例ではフリーフロート式スチームトラップを例示したが、本発明はレバーフロート式やフリーバケット式やレバーバケット式あるいはディスク式その他の型式のスチームトラップにも適用できるものである。
【産業上の利用可能性】
【００１３】
本発明は、蒸気輸送管や蒸気使用機器等の蒸気配管系に発生する復水を自動的に排出するスチームトラップに利用することができる。
【符号の説明】
【００１４】
１  本体
２  蓋部材
３  入口
４  出口
５  出口通路
６  弁室
１０  弁孔
１１  分岐孔
１２  弁座部材
１４  プラグ
１５  球形フロート
１７  案内棒
１８  切欠き
【図１】
2012149665.tif 000003
(57)【要約】【課題】自転車の鍵をかけたり、開いたりの施錠や解錠が大変不便であるのを解決する手段と方法を提供するものである。【解決手段】自転車本体に電波やまたは電磁を受信できる機能を持つ鍵を取りつけ人が自転車に触らなくても施錠、解錠の出来るリモートコントロール式の発信機をもって、従来の面倒な作業を解決する。【特許請求の範囲】
【請求項１】
自転車本体の施錠、解錠をリモートコントロール式の電波や電磁式によって操作することの出来る鍵をつけること。。
【発明の詳細な説明】
【技術分野】
【０００１】本発明は、自転車の盗難防止の鍵の解錠施錠を簡単にしたもの。
【背景技術】
【０００２】従来の自転車の鍵は、鍵式やボタン式などがある。【０００３】従来の自転車の鍵は、かなり面倒で特に暗いところでは特に不便である。また、いちいち鍵穴に差し込んだり、暗称番号を押したたり、荷荷物のある時なども面倒である。【０００４】本発明は、従来の自転車に取りつけてある鍵の操作の不便さを解決すものである。【０００５】手元にリモートコントロール式の電波発信機を操作して、自転車本体取り付ける電波受信機能の付いてる鍵を解錠、施錠するものである。【０００６】これによって従来型の鍵の不便さを一気に解決し、老若男女と全ての従来の鍵より、手軽に簡単に操作出来る。
【先行技術文献】
【０００７】
【発明の概要】
【課題】
【０００８】自転車の従来型の施錠，解錠は、鍵穴に差し込んだり、暗称番号を押したり、特に暗いところでは大変不便であるのを一気に解決するのを提供するものである。
【解決手段】
自転車本体には電波または電磁式の鍵を取りつけ、人が手元においてリモートコントロール式の電波発信機をもって施錠ね解錠する。
(57)【要約】      （修正有）【課題】コンクリート製等の小川底部に浸水剤を収納した小川水排水具を提供する。【解決手段】任意形状に形成された浸水剤１を任意形状に形成されたコンクリート製等の小川底部２に収納する小川水排水具。【選択図】図１
2012149497.tif 000002
【特許請求の範囲】
【請求項１】
任意形状に形成された浸水剤（１）を任意形状に形成されたコンクリート製等の小川底部（２）に収納する小川水排水具。
【発明の詳細な説明】
【技術分野】
【０００１】本案は，小川水排水具の改良に関するものである。
【背景技術】
【０００２】従来、田んぼや畑の周りの小川では、小川自体をコンクリートで形成されているが、その構成であれば、田んぼや畑から水と一緒に漏れ出した有機物を浄化出来ずに川に流してしまうことになる。
【発明が解決しようとする課題】
【０００３】本案は，その欠点を除いて，田んぼや畑から水と一緒に漏れ出した有機物を浄化しようとするものである。
【課題を解決するための手段】
【０００４】〔１〕本案は任意形状に形成された浸水剤（１）を任意形状に形成されたコンクリート製等の小川底部（２）に収納する。
【発明の効果】
【０００５】本案の小川水排水具は上記の構成であるから田んぼや畑から水と一緒に漏れ出した有機物を浄化する事が出来る。
【発明を実施するための最良の形態】
【０００６】本案は，以上のような構成であるから，浸水剤（１）をコンクリート製等で形成された小川底部（２）に収納するだけで田んぼや畑から水と一緒に漏れ出した有機物をコンクリート製等で形成された小川底部（２）の下部の地面に負担をかけずに小川の水と一緒に漏れ出した有機物を水ごと流し地下水付近で浄化する事が出来る。
【実施例１】
【０００７】本案は構成上図１に示すように浸水剤（１）を予めコンクリート製等で形成された小川底部（２）に浸水剤（１）と同型の穴を空けコンクリート製等で形成された小川底部（２）に収納する。
【実施例２】
【０００８】実験結果としては浸水コンクリート等で形成された浸水剤（１）をコンクリート製等で形成された小川底部（２）に収納する事により、田んぼや畑から水と一緒に漏れ出した有機物を地下水付近で浄化する事が出来る。又構成としては、浸水剤（１）の形状をビス状に形成し、水面に触れる部分を多くし、より多くの水を流れやすくするという構成も可能である。又構成としては、浸水剤（１）の上部に金網等を設け目詰まりを防ぐという構成も可能である。又構成としては、浸水剤（１）の上部に浸水コンクリート等で蓋を作り目詰まりを防ぎより多くの水を流すという構成も可能である。又浸水剤（１）を浸水コンクリート等で形成する場合は内部に針金等の金属を収納し強度を強くする構成も可能である。又コンクリート製等で形成された小川底部（２）の下の地質が水で流されやすい場合は、浸水剤（１）を円筒形等の樹脂や円筒形等のコンクリート等に収納しコンクリート製等で形成された小川底部（２）に収納することでコンクリート製等で形成された小川底部（２）の下の地質が水で流されやすい場合でも小川の水の中に含まれる田んぼや畑から水と一緒に漏れ出した有機物を水ごと流し地下水付近で浄化する事が出来る。又コンクリート製等で形成された小川底部（２）の下の地質が常に湿った状態の場所や地下水付近である場合は浸水剤（１）をそのままコンクリート製等で形成された小川底部（２）に収納したほうが水はけが良くなる。又そのような場所は本来コンクリート製の小川にする前の状態の小川の時は田んぼや畑から水と一緒に漏れ出した有機物を地下水に流し泥や砂の中のバクテリアが田んぼや畑から水と一緒に漏れ出した有機物を分解し水を浄化し微生物や泥の中の生物を増やし、又地下水に流れ込んだ浄化された水とバクテリアは川や湖や海に流れ込み微生物やいろんな生物を増やしていった場所なのでコンクリート製等で形成された小川底部（２）に浸水剤（１）を収納するには適している。又浸水剤（１）は浸水コンクリート等のような固体だけでなく円筒形等の樹脂や円筒形等のコンクリート等の内部に浸水性に優れた樹脂等や浸水性に優れた砂等や浸水性に優れた石等や浸水性に優れたセラミック等を収納しコンクリート製等で形成された小川底部（２）に収納するという構成も可能である。又浸水剤（１）を収納する場所としては田んぼや畑の周りの小川だけでなくコンクリート製等で形成された川等でも効果がある。又浸水剤（１）の縦の長さとしてはコンクリート製等で形成された小川底部（２）から地下水付近までの長さが望ましいので収納する場所によって変えるほうがコンクリート製等で形成された川底部（２）の地質に負担がかからない。又浸水剤（１）の横の幅は構成上泥等の目詰まりを防ぐため広くしたほうが良いがコンクリート製等で形成された小川の強度を損ねないような構成が望ましい。実験結果としてはコンクリート製等で形成された小川の幅の４分の１程度であればコンクリート製等で形成された小川の強度は損ねないようである。例としてはコンクリート製等で形成された小川幅８０センチであれば浸水剤（１）の横幅２０センチである。又実験結果としては、浸水剤（１）を使わずに円筒形等の樹脂や円筒形等のコンクリート等をコンクリート製等で形成された小川底部（２）に収納した場合は冬場等の乾燥期間等で底部の田んぼや畑から水と一緒に漏れ出した有機物の混ざった土が乾燥し固くなり流れにくくなり、さらに上からの水の圧力で詰まってしまう事が多いが、浸水剤（１）をコンクリート製等で形成された小川底部（２）に収納した場合は底部の田んぼや畑から水と一緒に漏れ出した有機物の混ざった泥をバクテリアで有機物を分解してしまうため又乾燥状態にもならないので土が固くならなくなり、水の圧力も無いので詰まりにくくなる。
【産業上の利用可能性】
【０００９】本案は上記のような構成上田んぼや畑から水と一緒に流れ出る有機物をコンクリート製で形成された小川や川の機能を損ねる事無く地下水付近に流し田んぼや畑から水と一緒に漏れ出した有機物を浄化することが出来る。
【発明の効果】
【００１０】したがって現在川や湖や海に出てしまっている田んぼや畑から水と一緒に漏れ出した有機物をコンクリート製等で形成された小川や川の時点で浄化できる。
【図面の簡単な説明】
【００１１】
【図１】本発明の横断面図
【符号の説明】
【００１２】１は浸水剤
２は小川底部
【図１】
2012149497.tif 000003
(57)【要約】      （修正有）【課題】基板の反りの発生を防止することができる基板載置トレイを提供する。【解決手段】化学気相成長（ＣＶＤ）法やプラズマスパッタ法、蒸着法などが用いられる、半導体装置、液晶装置などの製造には、ウェハやガラス等の基板に薄膜を形成する成膜プロセスが使用される。近時は、基板の厚さは薄くなっており、成膜処理時に急激な温度変化が生じると、基板には反りが生じてしまう。基板載置トレイの基板を載置する側の面に、温度変化により移動する気体の量が０．１L以上となるような複数の孔を形成した。【選択図】図１
2012028455.tif 000002
【特許請求の範囲】
【請求項１】
基板を載置する側の面に、温度変化により移動する気体の量が０．１L以上となるような複数の孔が形成されていることを特徴とする基板載置トレイ。
請求項２に係る発明は、前記細孔１個の体積が０．６ｍL以上である請求項１記載の基板載置トレイ。
【発明の詳細な説明】
【技術分野】
【０００１】
本発明は、基板載置トレイに係る。より詳細には、本発明は、ウェハなどの基板を載置する基板載置トレイ構造に関し、特に、CVDなどの成膜プロセスに用いて好適な基板載置トレイに関する。
【背景技術】
【０００２】
半導体装置、液晶装置などの製造には、ウェハやガラス等の基板に薄膜を形成する成膜プロセスが使用される。例えば、化学気相成長（ＣＶＤ）法やプラズマスパッタ法、蒸着法などが用いられる。
例えばＣＶＤ法は、所定温度に保持した基板上に化学反応生成物を堆積して薄膜を形成する。基板は載置トレイに載せられてＣＶＤ装置に搬送され、載置トレイを介して所定温度に加熱され、保持される。
ところが、基板をトレイに載置し、成膜処理時に急激な温度変化が生じると、基板には反りが生じてしまう。特に、近時は、基板の厚さは薄くなっており、例えば太陽電池用基板は、２００μｍ以下、さらには１５０μｍ以下の厚さとなっており、かかる基板においては特に反りの発生は顕著に生じるこ。
【発明の概要】
【発明が解決しようとする課題】
【０００３】
本発明は、基板の反りの発生を防止することが可能な基板載置トレイを提供することを目的とする。
【課題を解決するための手段】
【０００４】
請求項１に係る発明は、基板を載置する側の面に、温度変化により移動する気体の量が０．１L以上となるような複数の孔が形成されていることを特徴とする基板載置トレイである。
請求項２に係る発明は、前記細孔１個の体積が０．６ｍL以上である請求項１記載の基板載置トレイである。
【０００５】
以下に、移動する気体の体積について述べる。
気体を理想気体とする
V０＝πｄ２／４
V0：細孔の体積
ｄ：細孔の直径
【０００６】
温度T1における気体のモル数n1
P1V0＝ｎ１RT１
∴  ｎ１＝P1V0／RT1
温度T２における気体のモル数n２
P２V0＝ｎ２RT２
∴  ｎ２＝P２V0／RT２
但しT1＞T２
∴ｎ２＞ｎ１
【０００７】
温度変化による気体のモル数変化Δnを求めると，
Δｎ＝ｎ２−ｎ１＝ｎ１（Ｔ１／Ｔ２−１）
Δｎ＝（Ｐ１・Ｖ０／Ｒ）・［（Ｔ１−Ｔ２）／Ｔ１・Ｔ２］
ここで，圧力P1を[atm]、容積の最小単位VOを[L]
R =
0.082057 [L atm/K mol]とする。
ΔＮ＝Ψ・Δｎ＝（Ψ・Ｖ０［Ｌ］）  ［mol］
Ψ：細孔の個数
V０＝（πｄ２・ｈ）／４
ΔＮ＝Ψ・Δｎ＝1.25174×10−３［Ψ・（πｄ２・ｈ）／４］  ［mol］
【０００８】
1 molの気体は，0℃，1 atmで，22.414 [L]の容積を占める。
これを温度400℃に変換すると，
移動する気体の体積Vは
Ｖ［Ｌ］＝ΔN×22.414［L］×［（273.15＋400）／273.15）
上記式Vによって移動する気体の体積が求められる。
【０００９】
温度変化が急激に生じた場合、トレイに掘られた細孔の一個当りの体積が大きく、しかも細孔が沢山存在すれば，基板とトレイ間に速い気体の流れが発生し，これによりその部分に負圧が発生し基板を吸い寄せる。また，その気流は基板より温度が低いため，基板下面の温度を低下させ，基板の反りを戻す方向に働く。
【発明の効果】
【００１０】
本発明によれば、薄い基板であっても反りの発生を防止することができる。
【図面の簡単な説明】
【００１１】
【図１】移動する気体の体積を示すグラフである。
【実施例】
【００１２】
（実施例１）
一個あたりの細孔の体積が０．６ｍLである細孔を２００００個トレイの基板載置側の面に形成した。細孔は有底の細孔とした。
２００μｍ厚、径２００ｍｍの太陽電池用のシリコンウエハを上記トレイに載置し、温度を４００℃から４５０℃に変化させ反りの発生を観察した。反りは、平面からの最大の変位の量として観察した。
その結果、細孔が形成されていない場合に比べて、反りの量は十分の一以下に低減した。
【図１】
2012028455.tif 000003
(57)【要約】【課題】  本発明は、ＨｆＯ２層をゲート絶縁膜とするゲートスタックにおいて、界面にＳｉＯ２層が形成されない極薄の等価酸化膜厚を持ったhigher-kゲートスタックを実現することを課題とする。【解決手段】  シリコン基板上にＨｆＯ２層を形成し、ＨｆＯ２層とゲート電極層の間に酸素吸収効果のある酸素制御金属層を挿入した上で熱処理を行い、ＨｆＯ２層を結晶化して誘電率を増大させると同時に、ＨｆＯ２熱処理時の放出酸素吸収及びＨｆＯ２格子からの酸素除去効果を用いてＨｆＯ２／Ｓｉ界面に形成されるＳｉＯ２を除去することを特徴とするゲートスタック形成方法。【選択図】        図１
2012028713.tif 000002
【特許請求の範囲】
【請求項１】
シリコン基板上にＨｆＯ２層及び酸素吸収効果のある酸素制御金属層を順に形成する工程と、ＨｆＯ２層が結晶化する温度で熱処理する工程とを含むゲートスタック形成方法。
【請求項２】
シリコン基板上にＨｆＯ２層を形成し、ＨｆＯ２層とゲート電極層の間に酸素吸収効果のある酸素制御金属層を挿入した上で熱処理を行い、ＨｆＯ２層を結晶化して誘電率を増大させると同時に、ＨｆＯ２熱処理時の放出酸素吸収及びＨｆＯ２格子からの酸素除去効果を用いてＨｆＯ２／Ｓｉ界面に形成されるＳｉＯ２を除去することを特徴とするゲートスタック形成方法。
【請求項３】
上記酸素吸収効果のある酸素制御金属層は、Ｔｉ層であることを特徴とする請求項１又は２に記載のゲートスタック形成方法。
【請求項４】
上記ゲート電極層は、ＴｉＮ電極層であることを特徴とする請求項２又は３に記載のゲートスタック形成方法。
【発明の詳細な説明】
【技術分野】
【０００１】
本発明は、ゲートスタック形成方法に関するものである。
【背景技術】
【０００２】
近年の集積回路ではＳｉＯ２にかわり、高誘電率(high-k)ゲート絶縁膜が使用されるようになった。これは、スケーリング則に従い電気的な等価酸化膜厚は薄膜化しつつ、膜の誘電率を増大させることで、実際の膜厚を増加させ、直接トンネル電流を抑制する手法である。最初の世代のhigh-k材料としては、ＨｆＯ２(誘電率約１３〜２０)が用いられた。
【０００３】
微細化の進行に伴い、約０．５ｎｍ以下という極薄の等価酸化膜厚が必要とされる技術世代において、ゲートスタック全体での等価酸化膜厚を薄膜化する手法はいくつか提案されている。
【０００４】
ひとつは、ある種の金属をドープしたＴｉＮ、ＴａＮ等の合金をゲート電極とし、熱処理時にＨｆＯ２とＳｉとの界面に存在するＳｉＯ２層を、ドープした金属による酸素欠陥注入効果により還元分解し、ＨｆＯ２を直接Ｓｉ上に形成することで、低誘電率の界面ＳｉＯ２層による等価酸化膜厚の増加を抑制する手法である。（非特許文献１、２参照）
しかし、約０．５ｎｍ以下の等価酸化膜厚を得るためには低誘電率の界面ＳｉＯ２層を完全に除去した上でも、誘電率１３〜２０程度のhigh-k絶縁膜ですら直接トンネル電流が流れる領域までも薄膜化する必要が生じるため、この手法は充分なものではない。
【０００５】
近年研究が進められているのが、従来のhigh-k材料よりも誘電率の高い絶縁層(higher-k材料、誘電率３０以上)を用いる手法である。
higher-kゲート絶縁膜を形成する手法はすでに提案されている。図２にそのひとつを紹介する（特許文献１参照）。これはＨｆＯ２膜上に保護膜を堆積した上で急速熱処理を行い、高誘電率の結晶相(cubic相)を優先的に生成するというものである。
しかしこの手法では、ＨｆＯ２とＳｉとの界面に、ＨｆＯ２が結晶化する際に放出された酸素によってＳｉＯ２層が形成され、ゲートスタック全体での等価酸化膜厚が増加してしまうという問題が存在し、極薄の等価酸化膜厚の実現は困難である。
【先行技術文献】
【特許文献】
【０００６】
【特許文献１】特開２００８−３０６０３６号公報
【非特許文献】
【０００７】
【非特許文献１】K.Choi etal., Tech.Dig VLSI Symp.,2009,pg.138.
【非特許文献２】T.Andoet al., IEDM 09-423〜426
【発明の概要】
【発明が解決しようとする課題】
【０００８】
本発明は、ＨｆＯ２層をゲート絶縁膜とするゲートスタックにおいて、界面にＳｉＯ２層が形成されない極薄の等価酸化膜厚を持ったhigher-kゲートスタックを実現することを課題とする。
【課題を解決するための手段】
【０００９】
上記の課題は、以下のゲートスタック形成方法によって解決される。
（１）シリコン基板上にＨｆＯ２層及び酸素吸収効果のある酸素制御金属層を順に形成する工程と、ＨｆＯ２層が結晶化する温度で熱処理する工程とを含むゲートスタック形成方法。
（２）シリコン基板上にＨｆＯ２層を形成し、ＨｆＯ２層とゲート電極層の間に酸素吸収効果のある酸素制御金属層を挿入した上で熱処理を行い、ＨｆＯ２層を結晶化して誘電率を増大させると同時に、ＨｆＯ２熱処理時の放出酸素吸収及びＨｆＯ２格子からの酸素除去効果を用いてＨｆＯ２／Ｓｉ界面に形成されるＳｉＯ２を除去することを特徴とするゲートスタック形成方法。
（３）上記酸素吸収効果のある酸素制御金属層は、Ｔｉ層であることを特徴とする（１）又は（２）に記載のゲートスタック形成方法。
（４）上記ゲート電極層は、ＴｉＮ電極層であることを特徴とする（２）又は（３）に記載のゲートスタック形成方法。
【発明の効果】
【００１０】
本発明によれば、ＨｆＯ２層上に酸素吸収効果のある酸素制御金属層を形成した上で急速加熱処理を行うことにより、界面のＳｉＯ２層は形成されず、極薄の等価酸化膜厚を持ったhigher-kゲートスタックが実現できる。
【図面の簡単な説明】
【００１１】
【図１】本発明に係るゲートスタック形成方法を説明する図面
【図２】従来のゲートスタック形成方法を説明する図面
【発明を実施するための形態】
【００１２】
本発明に係るゲートスタック形成方法について、図１を参照して詳細に説明する。
（１）Ｓｉ基板上にゲート絶縁膜となるアモルファスＨｆＯ２層及び酸素吸収効果のある酸素制御金属層を形成する。（図１左図参照）
（２）急速加熱処理を行う。(図１中央図参照)
（３）この処理によりＨｆＯ２層は結晶化し高誘電率化する。（図１右図参照）
（４）最後にゲート電極を形成しゲートスタックが完成する。
【００１３】
酸素吸収効果のある酸素制御金属層の効果は、次のとおりである。(図１中央図参照)
（１）ＨｆＯ２熱処理時の放出酸素を直接吸収し、界面のＳｉＯ２形成を抑制する。
（２）ＨｆＯ２格子から酸素を除去し酸素欠陥（Ｖｏ）を膜中に導入することで、界面のＳｉＯ２を還元分解する。
これらの効果によりＳｉＯ２界面層の形成を抑制する。
【００１４】
本発明によれば、極薄の等価酸化膜厚を持ったhigher-kゲートスタックを実現できる。
試作では、酸素吸収効果のある金属層として５〜７ｎｍの厚さのＴｉ層とし、熱処理温度は６００〜１１００℃とした。これによりＨｆＯ２層の誘電率約４６、ＨｆＯ２ゲートスタックとして、０．３７ｎｍの等価酸化膜厚が得られた。
【図１】
2012028713.tif 000003
【図２】
2012028713.tif 000004
(57)【要約】【課題】  従来の太陽光発電設備は設置に高額な費用がかかるという問題があった。これは使用されている材料が高価なものであるためである。【解決手段】  本発明は、このような従来の設備が有していた問題を解決しようとするものであり、一般的には廃棄物とされる物質を用いて、安価な太陽光発電設備を実現することを目的とするものである。そして、本発明は上記目的を達成するために、本来、廃棄物として捨てられてきた人毛や、牛など動物の毛、イカ墨などを集め、それらのメラニン色素を太陽光発電に活用する。【特許請求の範囲】
【請求項１】
太陽光・太陽熱より、メラニン色素の感光性を利用して発電する太陽光発電設備。
【発明の詳細な説明】
【技術分野】
【０００１】  本発明は、メラニン色素の感光性を利用した太陽光発電設備に関する。
【背景技術】
【０００２】  従来の太陽光発電設備には、高価な材料（シリコン）が用いられている。
【先行技術文献】
【特許文献】
【０００３】
【特許文献１】特許出願２００４−７９９６６  特許公開２００５−２６６４２０  特許の名称  感光性樹脂組成物並びにそれを用いた半導体装置及び表示素子
【発明が解決しようとする課題】
【０００４】  高価な材料を使用した太陽光発電設備は、設置に費用がかかりすぎ、それがなかなか普及しない要因となっている。
【０００５】  本発明は、このような従来の設備が有していた問題を解決しようとするものであり、一般的には廃棄物とされる物質を用いて、安価な太陽光発電設備を実現することを目的とするものである。
【課題を解決するための手段】
【０００６】  そして、本発明は上記目的を達成するために、本来、廃棄物として捨てられてきた人毛や、牛など動物の毛、イカ墨などを集め、それらのメラニン色素を太陽光発電に活用する。
【０００７】  特に人毛は発展途上国の女性にご協力いただき謝礼を払いつつ、染めたことのない髪の束を集め、それを活用する。髪のメラニン色素の感光性を活かして従来のシリコン代わりに太陽光発電設備のパネル部分に使用していく。
【発明の効果】
【０００８】  上述したように、本発明の太陽光発電設備は安価な材料を活かすことから、従来よりも安い費用で設置することができるようになり、一般住宅のみならず工場や業務ビルへも、太陽エネルギー利用設備の導入促進を図ることができる。
【０００９】  また太陽光・太陽熱などの再生可能エネルギーの利用拡大から、今後の技術革新を促すとともに新たな環境産業を創出することができる。
【００１０】  地球温暖化対策となる製品及び技術の開発、環境技術による国際貢献につながる発明である。
(57)【要約】      （修正有）【課題】鉛板に代わり銅板を使用した交流の放電しないバッテリーの提供。【解決手段】鉛板に代わり銅板を使用した交流の放電しないバッテリーにより、希硫酸が銅板をピカピカにする、高熱になり電気が生じる、密閉式でノーメンテナンスの電池。各槽ごとに繋がっている銅板の枚数、長さ、大きさによって、容量が小さいものから大きいものまでに利用できる。【選択図】図１
2012028295.tif 000002
【特許請求の範囲】
【請求項１】
銅板を使用した放電しない交流のバッテリーは密閉式で希流酸が入っていて化学反応して高熱になり交流の電気が生じる。車などシヨック又は放置したり寒い場所に置いたら鉛が剥れ放電してしまう銅板を使用したら放電しない交流の放電しない交流のバッテリーは寒さにも強く希流酸が銅板をピカピカにする放電しない
（セル）格曹ごとに銅板が繋がている銅板の枚数長さ大きさによって用量が小さい物から大きい物に利用できる
この銅板を使用した放電しない交流のバッテリーは家庭や自動車、オートバイ、農業、魚業、船舶、飛行機、建設機、冷暖房などに利用できる
【請求項２】
工場やビルなど大きい用量の必要な電気は銅板を使用した交流の放電しない交流のバッテリーで発電機を回転させて大きい用量の電気を作り出す事ができる。
【発明の詳細な説明】
【技術分野】
【背景技術】
【先行技術文献】
【特許文献】
【非特文献】
【発明の概要】
【発明が解決しようとする課題】放電しない銅板を使用した交流のバッテリー
【課題を解決するための手段】鉛板を銅板を使用したから
【図面の簡単な説明】従来のバッテリーは鉛板を使用していて放電してしまうこれは銅板を使用した交流の放電しないバッテリー
【図１】銅板を使用した放電しない交流のバッテリーの断面図
【図２】銅板を使用した放電した交流のバッテリーの断面図
【発明を実施するための形態】
【実施例】
【産業上の利用可能性】
【符号の説明】
【受託番号】
【図１】
2012028295.tif 000003
【図２】
2012028295.tif 000004